(57)【要約】【課題】高精細度パネルであっても、表示品質の高い画像表示が可能なプラズマディスプレイパネルを提供する。【解決手段】表示電極対を有する前面板と、この前面板に対向配置されかつ表示電極対との間に放電セルが形成されるようにデータ電極３２を設けるとともにデータ電極３２に平行に配列された複数の縦隔壁３４および縦隔壁３４と結合して井桁状の隔壁を構成する横隔壁３５とを備えた背面板１２とを有し、放電セルを形成した画像表示領域４０とその画像表示領域４０の外側に非画像表示領域４１を有するプラズマディスプレイパネルであって、非画像表示領域４１に形成した縦隔壁４４は、横隔壁４５と結合される結合部４４ｃの高さが結合部４４ｃ間に存在する中間部４４ｆの高さより低くなるように形成したことを特徴とする。【選択図】図３
2008098039.tif 000002
【特許請求の範囲】
【請求項１】
表示電極対を有する前面板と、この前面板に対向配置されかつ前記表示電極対との間に放電セルが形成されるようにデータ電極を設けるとともに前記データ電極に平行に配列された複数の縦隔壁および前記縦隔壁と結合して井桁状の隔壁を構成する横隔壁とを備えた背面板とを有し、前記放電セルを形成した画像表示領域とその画像表示領域の外側に非画像表示領域を有するプラズマディスプレイパネルであって、
前記非画像表示領域に形成した縦隔壁は、前記横隔壁と結合される結合部の高さが、前記結合部間に存在する中間部の高さより低くなるように形成したことを特徴とするプラズマディスプレイパネル。
【請求項２】
前記画像表示領域に形成した縦隔壁の高さは横隔壁の高さよりも高く形成し、かつ前記非画像表示領域に形成した縦隔壁の結合部の高さは前記横隔壁の高さとほぼ等しくなるように形成するとともに、中間部の高さは、前記画像表示領域に形成した縦隔壁の高さとほぼ等しくなるように形成したことを特徴とする請求項１に記載のプラズマディスプレイパネル。
【発明の詳細な説明】
【技術分野】
【０００１】
本発明は、壁掛けテレビや大型モニター等に用いられるプラズマディスプレイパネルに関する。
【背景技術】
【０００２】
プラズマディスプレイパネル（以下、「パネル」と略記する）は、互いに平行に配置された表示電極対を有する前面板と、互いに並行に配置されたデータ電極を有する背面板とを対向配置し、表示電極対とデータ電極とが立体交差する位置に画像を表示する多数の放電セルが形成されている。そして前面板と背面板は、その外周部を封着部材で封着され、内部にはキセノンを含む放電ガスが封入されている。
【０００３】
背面板にはデータ電極を覆うように誘電体層が設けられ、さらにその上に隔壁が設けられている。この隔壁はデータ電極に平行な縦隔壁とデータ電極に直角な横隔壁とで格子状に形成されている。そして、この格子状の隔壁がそれぞれの放電セルを区画するとともに、背面板と前面板との間隔があらかじめ決められた所定の距離となるように支持している。
【０００４】
このような隔壁は、例えば、背面基板上に感光性ペーストを塗布し、フォトマスクを用いて露光し現像した後、焼成して形成することができる。しかしながら焼成に伴う収縮のため、隔壁を全面にわたって一様に形成することは難しく、隔壁が形成された領域のうち、周辺部の領域に形成された隔壁は精度が悪くなる傾向がある。そのため、放電セルが形成されている画像表示領域の外側の非画像表示領域にも隔壁（以下、非画像表示領域に形成された隔壁を区別する場合、特に「ダミー隔壁」と呼称する。）を形成することで、画像表示領域の隔壁の精度を維持している。
【０００５】
しかしながら上述したようにダミー隔壁そのものの精度はあまりよくないため、ダミー隔壁を用いて背面板と前面板との間隔を精度よく支持するのは難しい。特に、ダミー隔壁が画像表示領域の隔壁よりも高くなると背面板と前面板との間隔が広がり、その影響で画像表示領域でも背面板と前面板との間隔の広い領域が生じて画像表示品質を低下させるという問題があった。
【０００６】
このような問題を軽減する方法として、例えば特許文献１には、隔壁が形成された領域のうち、両端に配列した縦隔壁に結合している横隔壁の結合部の幅が、それ以外の横隔壁の幅より狭いことを特徴とする隔壁を備えた背面基板が開示されている。
【特許文献１】特開２００２−２７０１０１号公報
【発明の開示】
【発明が解決しようとする課題】
【０００７】
しかしながら、近年は、パネルの高精細度化が進むにつれて放電セルの寸法が小さくなり、隔壁の幅も従来の半分程度まで狭くなってきている。そのため、両端に配列した縦隔壁に結合している横隔壁の結合部の幅をさらに狭く形成することが難しく、加えて焼成に伴う収縮の影響も大きくなってダミー隔壁の高さが高くなり、画像表示領域でも背面板と前面板との間隔の広い領域が生じて画像表示品質を低下させる恐れが大きくなってきた。
【０００８】
本発明は、上述した課題に鑑みてなされたものであり、高精細度パネルであっても、表示品質の高い画像表示が可能なパネルを提供することを目的とする。
【課題を解決するための手段】
【０００９】
本発明は、表示電極対を有する前面板と、この前面板に対向配置されかつ表示電極対との間に放電セルが形成されるようにデータ電極を設けるとともにデータ電極に平行に配列された複数の縦隔壁および縦隔壁と結合して井桁状の隔壁を構成する横隔壁とを備えた背面板とを有し、放電セルを形成した画像表示領域とその画像表示領域の外側に非画像表示領域を有するプラズマディスプレイパネルであって、非画像表示領域に形成した縦隔壁は、横隔壁と結合される結合部の高さが結合部間に存在する中間部の高さより低くなるように形成したことを特徴とする。この構成により、高精細度パネルであっても、表示品質の高い画像表示が可能なパネルを提供することができる。
【００１０】
また本発明のプラズマディスプレイパネルは、画像表示領域に形成した縦隔壁の高さは横隔壁の高さよりも高く形成し、かつ非画像表示領域に形成した縦隔壁の結合部の高さは横隔壁の高さとほぼ等しくなるように形成するとともに、中間部の高さは、画像表示領域に形成した縦隔壁の高さとほぼ等しくなるように形成してもよい。この構成により、フォトマスクの形状を変更するだけで非画像表示領域に形成した縦隔壁を形成することができる。
【発明の効果】
【００１１】
本発明によれば、高精細度パネルであっても、表示品質の高い画像表示が可能なパネルを提供することが可能となる。
【発明を実施するための最良の形態】
【００１２】
以下、本発明の実施の形態におけるパネルについて、図面を用いて説明する。
【００１３】
（実施の形態）
図１は本発明の実施の形態におけるパネルの構造を示す分解斜視図である。パネル１０は、前面板１１と背面板１２とを対向配置して、その間に多数の放電セルを形成するように構成されている。
【００１４】
前面板１１は、ガラス製の前面基板２１上に一対の走査電極２２と維持電極２３とからなる表示電極対２４が互いに平行に複数形成され、その表示電極対２４を覆うように誘電体層２５が形成され、さらに誘電体層２５上に保護層２６が形成されている。また背面板１２は、ガラス製の背面基板３１上に複数のデータ電極３２が互いに平行に形成され、そのデータ電極３２を覆うように絶縁体層３３が形成されている。さらに絶縁体層３３上にはデータ電極３２に平行に配列された複数の縦隔壁３４と、その縦隔壁３４と結合して格子状の隔壁を構成する横隔壁３５とが形成されている。また、絶縁体層３３の表面および縦隔壁３４、横隔壁３５の側面には蛍光体層３６が形成されている。そして、表示電極対２４とデータ電極３２とが交差するように前面板１１と背面板１２とが対向配置され、その外周部は封着部材を用いて封着されている。そして表示電極対２４とデータ電極３２とが立体交差する位置のそれぞれに放電セルが形成され、そこには放電ガスとして、例えばネオンとキセノンの混合ガスが封入されている。
【００１５】
本実施の形態においては、縦隔壁３４はデータ電極３２と平行に形成され、横隔壁３５は縦隔壁３４と直交するように形成されている。
【００１６】
図２は本発明の実施の形態におけるパネル１０の背面板１２の平面図である。図面を見やすくするために、縦隔壁３４と横隔壁３５は領域Ｓと記した部分にのみ図示している。前面板１１と背面板１２とを封着するための封着部材５０は背面基板３１上の外周に沿った周辺部に塗布されている。また二点鎖線で示した画像表示領域４０には縦隔壁３４と横隔壁３５が形成され、さらに画像表示領域４０の外側の非画像表示領域４１にはダミー縦隔壁４４とダミー横隔壁４５とが形成されている。したがって、複数配列された縦隔壁３４、４４のうち、両端に配列された縦隔壁のそれぞれはダミー縦隔壁４４である。
【００１７】
図３は本発明の実施の形態におけるパネル１０の背面板１２の詳細を示す斜視図であり、図２に示した領域Ｓを拡大して示した図である。また図４は、本実施の形態におけるパネル１０の断面図であり、図２のＡ−Ａ線に沿った断面図である。
【００１８】
上述したように、画像表示領域４０にはデータ電極３２と平行に縦隔壁３４が形成され、縦隔壁３４と直交するように縦隔壁３４に結合した横隔壁３５が形成されている。ここで、縦隔壁３４の高さは横隔壁３５の高さよりも高く形成されており、縦隔壁３４が背面板１２と前面板１１との間隔を所定の距離となるように支持している。また、横隔壁３５を縦隔壁３４よりも低く形成することで横隔壁３５と前面板１１との間に空隙を設けている。この空隙は、放電セル内に残留する空気を排気する際の抵抗を小さくするために設けられている。本実施の形態においては、縦隔壁３４の高さは、例えば１２０μｍ、横隔壁３５の高さは、例えば１１０μｍに設定されている。
【００１９】
画像表示領域４０の外側の非画像表示領域４１には、データ電極３２と平行にダミー縦隔壁４４が形成され、縦隔壁３４およびダミー縦隔壁４４と直交するように縦隔壁３４またはダミー縦隔壁４４に結合したダミー横隔壁４５が形成されている。図３には非画像表示領域４１に形成された２本のダミー縦隔壁４４、および縦隔壁３４またはダミー縦隔壁４４と結合したダミー横隔壁４５を図示したが、ダミー縦隔壁の数は必要に応じて設計することが望ましい。
【００２０】
ダミー横隔壁４５の高さは横隔壁３５と同じ高さに設定されており、本実施の形態においては、例えば１１０μｍに設定されている。またダミー縦隔壁４４の高さは一定ではなく、ダミー横隔壁４５と結合する結合部４４ｃの高さは、結合部４４ｃと結合部４４ｃとの間のダミー横隔壁４５と結合しない中間部４４ｆの高さよりも低くなるように形成されている。そして結合部４４ｃ間に存在する中間部４４ｆの高さは、画像表示領域４０に形成されている縦隔壁３４の高さにほぼ等しく、本実施の形態においては、例えば１２０μｍに設定されている。ここで、「ほぼ等しい」とは、隔壁の形成に伴い発生する高さのばらつきや誤差等を許容するという意味である。
【００２１】
このように、ダミー縦隔壁４４の中間部４４ｆの高さを縦隔壁３４の高さにほぼ等しくすることにより、ダミー縦隔壁４４の中間部４４ｆで背面板１２と前面板１１との間隔を所定の距離となるように支持している。
【００２２】
また本実施の形態においては、ダミー横隔壁４５と結合する結合部４４ｃの高さは横隔壁３５およびダミー横隔壁４５の高さにほぼ等しい。
【００２３】
次に、このような隔壁の製造方法について説明する。隔壁の製造方法としてはサンドブラスト法、印刷法、フォトリソグラフ法等、種々の方法があるが、ここでは比較的簡単で、精度のよいフォトリソグラフ法による製造方法について説明する。
【００２４】
まず、背面基板３１の絶縁体層３３上に感光性ペーストを塗布し、乾燥させて１層目の塗布膜を形成する。そして横隔壁３５、ダミー横隔壁４５およびダミー縦隔壁４４を形成するパターンのフォトマスクを用いて塗布膜を露光する。続いて、１層目の塗布膜の上にさらに感光性ペーストを塗布し、乾燥させて２層目の塗布膜を形成する。そして縦隔壁３４およびダミー縦隔壁４４の中間部４４ｆを形成するパターンのフォトマスクを用いて再び塗布膜を露光する。次に、露光された塗布膜を、現像液を用いて現像し、洗浄、乾燥して隔壁の前駆体を形成する。その後、隔壁の前駆体を焼成し固化させて格子状の隔壁を作成する。
【００２５】
このように、隔壁の製造工程には焼成工程が含まれるが、焼成に伴い塗布膜が収縮して引張り応力が発生し隔壁が変形することがある。特に複数配列した縦隔壁のうち両端に配列したダミー縦隔壁４４は画像表示領域４０側にのみダミー横隔壁４５が結合している。そのため、このダミー縦隔壁４４の結合部４４ｃが画像表示領域４０側に引張られて傾きが発生し、結合部４４ｃの高さが数μｍ程度高くなることがある。
【００２６】
しかしながら本実施の形態によれば、ダミー縦隔壁４４の結合部４４ｃの高さは縦隔壁３４よりも低く形成されているため、傾きが発生した場合であっても、縦隔壁３４よりも高くなることはなく、背面板１２と前面板１１との間隔を変化させることがない。加えて、変形の発生し難いダミー縦隔壁４４の中間部４４ｆの高さは縦隔壁３４と同じになるように設定されているため、非画像表示領域４１においても背面板１２と前面板１１との間隔を画像表示領域４０と同じ距離となるように支持することができる。そのため、非画像表示領域４１において前面基板２１および背面基板３１にたわみ等が発生せず、画像表示領域４０内における背面板１２と前面板１１との間隔も所定の距離とすることができるので画像表示品質を低下させる恐れがない。
【００２７】
また、ダミー縦隔壁４４の結合部４４ｃの高さは、必ずしも横隔壁３５およびダミー横隔壁４５の高さに等しくする必要性はないが、本実施の形態においてはダミー横隔壁４５と結合する結合部４４ｃの高さが横隔壁３５およびダミー横隔壁４５の高さにほぼ等しくなるように設定している。そのため、上述したように、フォトマスクの形状を変更するだけで本実施の形態におけるダミー縦隔壁４４を形成することができる。
【００２８】
なお、図３には、全てのダミー縦隔壁４４に対して、ダミー横隔壁４５と結合する結合部４４ｃの高さが、結合部４４ｃと結合部４４ｃとの間のダミー横隔壁４５と結合しない中間部４４ｆの高さよりも低くなるように形成されている図面を示したが、本発明はこれに限定されるものではない。
【００２９】
図５は、本発明の他の実施の形態におけるパネルの背面板の詳細を示す斜視図であり、複数配列された縦隔壁３４、４４のうち最も端に配列されたダミー縦隔壁４４のみに対して、ダミー横隔壁４５と結合する結合部４４ｃの高さが、結合部４４ｃ間に存在する中間部４４ｆの高さよりも低くなるように形成されている。そしてそれ以外のダミー縦隔壁４４は、画像表示領域４０内の縦隔壁３４と同じ形状に形成されている。
【００３０】
上述したように、焼成時に発生する隔壁の変形は、特に複数配列した縦隔壁３４、４４のうち両端に配列したダミー縦隔壁４４で発生しやすい。そのため最も端のダミー縦隔壁４４に対して、結合部４４ｃの高さを中間部４４ｆの高さよりも低くなるように形成することで、背面板１２と前面板１１との間隔を変化させることなく、かつ非画像表示領域４１においても背面板１２と前面板１１との間隔を画像表示領域４０と同じ距離となるように支持することができる。
【００３１】
なお、本発明の実施の形態において用いた具体的な各数値は、単に一例を挙げたに過ぎず、パネルの特性や仕様等に合わせて、適宜最適な値に設定することが望ましい。
【産業上の利用可能性】
【００３２】
本発明は、高精細度パネルであっても、表示品質の高い画像表示が可能であり、画像表示装置に用いるパネルとして有用である。
【図面の簡単な説明】
【００３３】
【図１】本発明の実施の形態におけるパネルの構造を示す分解斜視図
【図２】同パネルの背面板の平面図
【図３】同パネルの背面板の詳細を示す斜視図
【図４】同パネルの図２におけるＡ−Ａ線断面図
【図５】本発明の他の実施の形態におけるパネルの背面板の詳細を示す斜視図
【符号の説明】
【００３４】
１０    パネル
１１    前面板
１２    背面板
２２    走査電極
２３    維持電極
２４    表示電極対
３２    データ電極
３４    縦隔壁
３５    横隔壁
４０    画像表示領域
４１    非画像表示領域
４４    （ダミー）縦隔壁
４４ｃ    （ダミー縦隔壁の）結合部
４４ｆ    （ダミー縦隔壁の）中間部
４５    （ダミー）横隔壁
５０    封着部材
【図１】
2008098039.tif 000003
【図２】
2008098039.tif 000004
【図３】
2008098039.tif 000005
【図４】
2008098039.tif 000006
【図５】
2008098039.tif 000007